(57)【要約】【課題】浴室床の床面上の残水を低減でき、かつ残水を迅速かつ効率的に除去できる浴室装置を提供する。【解決手段】排水口２０を備えた排水領域４が浴槽２のエプロン２ａに隣接、配置され、その排水領域４に隣接して洗い場領域１が形成された浴室床１０を備えた浴室装置であって、洗い場領域１には、排水領域４に向かって下り傾斜を有した直線、谷状の流水路１１が形成されており、浴室床１０を挟んで浴槽２のエプロン２ａに対向する側壁３には、流水路１１に向けて流水方向に沿った空気を送り込む通風口３０が開設されている。【選択図】図１
2009228390.tif 000002
【特許請求の範囲】
【請求項１】
排水口を備えた排水領域が浴槽のエプロンに隣接、配置され、該排水領域に隣接して洗い場領域が形成された浴室床を備えた浴室装置であって、
上記洗い場領域には、上記排水領域に向かって下り傾斜を有した直線、谷状の流水路が形成されており、
上記浴室床を挟んで上記浴槽のエプロンに対向する側壁には、上記流水路に向けて流水方向に沿った空気を送り込む通風口が開設されていることを特徴とする浴室装置。
【請求項２】
請求項１において、
上記通風口は浴室換気乾燥機に接続されており、該浴室換気乾燥機から上記通風口を介して浴室内に送風する構成とした浴室装置。
【請求項３】
請求項１または２において、
上記流水路は親水処理が施されている浴室装置。
【発明の詳細な説明】
【技術分野】
【０００１】
本発明は、浴槽の側辺側に配置される排水口を含む排水領域と、排水領域に隣接させた洗い場領域とを備えた浴室床を有する浴室装置に関するものである。
【背景技術】
【０００２】
従来では、浴室の洗い場の水はけをよくするために、表面が親水処理され、かつ排水口に向けて降下傾斜した浴室床構造が種々、提案されている（たとえば、特許文献１参照）。
【０００３】
親水処理された浴室床によれば、その床面上で、水分が水玉のように接触角度の大きい水滴となることを防止でき、その結果、床面上の残水は床表面になじんで広がり、それによって汚れを浮かせて除去することができるうえ、空気との接触面積も増加するため蒸発がしやすく、自然乾燥による残水除去も可能である。
【特許文献１】特開２００４−２９３２１５号公報
【発明の開示】
【発明が解決しようとする課題】
【０００４】
しかしながら、床面上の残水が多すぎると、たとえ残水が乾燥しやすく濡れ性を帯びた状態となっていても、そのような残水を自然乾燥だけで除去するのには長時間を要し、そのため床面を翌朝までに乾燥させることはほとんど不可能であった。水濡れした状態を長く放置すれば当然に、汚れやカビの発生を引き起こすことになるため、それを防止するためには、強制的に床面に残った水分を拭き取るか、浴室乾燥機を使用するなどの他の残水除去手段をとることが通例であったが、拭き取り作業は手作業で面倒であり、また浴室乾燥機を使用した場合では、天井や壁にくらべて残水のはるかに多い床面を乾燥させるためには、乾燥機を長時間運転しなければならず、決して効率的な残水除去手段とはなっていなかった。
【０００５】
本発明は、このような事情を考慮して提案されたもので、その目的は、浴室床の床面上の残水を低減でき、かつ残水を迅速かつ効率的に除去できる浴室装置を提供することにある。
【課題を解決するための手段】
【０００６】
上記目的を達成するために、請求項１に記載の浴室装置は、排水口を備えた排水領域が浴槽のエプロンに隣接、配置され、その排水領域に隣接して洗い場領域が形成された浴室床を備えた浴室装置であって、洗い場領域には、排水領域に向かって下り傾斜を有した直線、谷状の流水路が形成されており、浴室床を挟んで浴槽のエプロンに対向する側壁には、流水路に向けて流水方向に沿った空気を送り込む通風口が開設されていることを特徴とする。
【０００７】
請求項２に記載の浴室装置は、通風口が浴室換気乾燥機に接続されており、浴室換気乾燥機から通風口を介して浴室内に送風する構成としている。
【０００８】
請求項３では、流水路は親水処理が施されている。
【発明の効果】
【０００９】
請求項１に記載の浴室装置では、排水領域に通じた流水路に、床面の水を集中させる排水構造を有するとともに、その流水路に向けて通風口から流水方向に沿った空気を送風させるようにした構成であるため、通風口からの送風が排水を補完するとともに、残水を強制乾燥させることができる。
【００１０】
請求項２に記載の浴室装置によれば、浴室換気乾燥機を通風口に接続する構成であるため、既設の装置を利用して強制乾燥させることができる。浴室換気乾燥機に床乾燥モードを付加すれば、天井や壁にくらべて残水付着の多い床のみに対する乾燥が行え、乾燥機を効率的に使用でき、低コストで床乾燥が可能な浴室装置を実施できる。
【００１１】
請求項３に記載の浴室装置によれば、流水路は親水処理が施されているため、排水後の床面には、排水されなかった水分が、水玉のような水滴とはならず濡れ性を帯びた状態で残留する。こうして床面上の水分は、空気との接触面積が大きく蒸発しやすい状態で残留するため、送風による乾燥も短時間で行える。
【発明を実施するための最良の形態】
【００１２】
以下に、本発明の実施の形態について、添付図面を参照しながら説明する。
【００１３】
図１は、本発明の一実施形態である浴室装置の説明図であり、（ａ）は浴室内の概略平面図、（ｂ）は（ａ）のＡ−Ａ線の概略縦断面図である。
【００１４】
この浴室には、浴槽２と、この浴槽２に隣接する排水領域４およびこの排水領域４に隣接した洗い場領域１を有した浴室床１０が備えられている。この排水領域４は、浴槽２のエプロン面２ａ側の浴室床１０辺縁の略中央に開設された排水口２０を備えている。
【００１５】
この浴室床１０の洗い場領域１は、排水口２０に向かって降下傾斜し、表面を親水処理した流水路１１と、その流水路１１の両側に対称的に隣設した傾斜床面１２とを備えている。
【００１６】
流水路１１は、排水口２０とは反対側の浴室床１０の辺縁から直線状に配設され、排水領域４（排水口２０）に向かって下り傾斜を有して通じており、この流水路１１の両側の床面１２は、流水路１１に向かって降下傾斜している。すなわち、浴室床１０は流水路１１が谷部となるように形成され、傾斜床面１２上で湯水を使用したときには、湯水はいったん流水路１１へと流れ、その流水路１１から排水口２０へと排水される。なお、図中の実線矢印Ｆ１は、排水の流れを示している。また、流水路１１および傾斜床面１２の水勾配は１，２度程度とされるが、傾斜床面１２の傾斜は、表面に凸部、あるいは擬似親水処理などによる微細突起を設けることで、滑り止めを施したうえでさらに角度を大きくしてもよい。
【００１７】
このように、本浴室床１０は、床面１２で使用した水を流水路１１の１箇所に集中させて排水できる構造となっている。
【００１８】
この流水路１１の上流側つまり排水口２０とは反対側の側壁３には、浴室内の流水路１１に向けて斜め上方より送風できるようにした通風口３０が開設されている。なお、図中の破線矢印Ｆ２は送風の流れを示している。
【００１９】
このように、流水路１１はその路面が、上流側の斜め上方に設けた通風口３０より送風を受けて排水、乾燥が効率的になされるようにしたものであり、それゆえ流水路１１の路面は送風を直接受けられるように露出されていることが望ましい。また、流水路１１は、両側の傾斜床面１２の最下位置よりさらに低い位置に凹溝のごとく配設してもよいが、その場合は、安全性を確保するために上蓋を設けることが望ましい。また、流水路を凹溝で形成した場合には、路面に向けて送風する必要があるため、送風時には上蓋を取り外しておくか、斜め上方からの送風を通過させることができる、すのこ状の蓋を配設するか、あるいは凹溝の流水路に蓋をした状態で、凹溝開口端の真横側より送風を受けられるように、凹溝と略同一高さ位置に通風口を設けることが好ましい。
【００２０】
また本実施形態では、図１（ｂ）に示すように、浴室換気乾燥機（の本体）４０から導出されたエアチューブなどよりなる通風管４１を通風口３０に接続しており、室外に設けた操作リモコン４２の操作によって浴室換気乾燥機４０を動作させて、通風口３０から強制的に流水路１１に向けて送風できる構成となっている。なお、このような浴室換気乾燥機４０を使用せずに、ファン装置などを通風口３０に設けた構成であってもよいし、浴室換気乾燥機４０とファン装置とを併用した構成であってもよい。
【００２１】
流水路１１への送風は、たとえば入浴を終えた後に行う浴室内乾燥などと同一タイミングで実施すればよい。通風口３０から流水路１１へ強制送風を行うと、流水路１１の路面に残留している水分は、送風力によって排水口２０へと押しやられ、残水のある程度は排水口２０へと排水される。その後さらに送風を継続することによって、排水されずに残った水分は送風を受けて蒸発し、流水路１１上に残った水分のほとんどは除去される。
【００２２】
このように、本浴室装置は、浴室床１０が、排水口２０に向かって降下傾斜した流水路１１に傾斜床面１２からの水を集中させる排水構造を有するとともに、その流水路１１に向けて通風口３０から空気を流入させる構成であるため、通風口３０からの送風だけによって流水路１１の路面の残水を除去することができる。その結果、浴室床１０上を常に清潔な状態に保持することができる。
【００２３】
また、流水路１１の上流側からの送風であるため、送風は水勾配による排水作用を補完できる。そのため、入浴中などの湯水使用時にも通風口３０を開放して強制送風による強制排水を行うことができる。よってそのような構成とした場合には、流水路１１の傾斜角度を、傾斜床面の傾斜角度よりも小さくでき、たとえば水平にすることも可能である。
【００２４】
さらに、流水路１１は親水処理が施されているため、排水後の流水路１１には、排水されなかった水分が、水玉のような水滴とはならず濡れ性を帯びた状態で残る。このように路面上の水分は、空気との接触面積が大きく蒸発しやすい状態で残留するため、送風による乾燥も短時間で行える。
【００２５】
また、本浴室装置は床面１２の水を流水路１１に集中させてから送風する構成であるため、通風口３０は流水路１１の上流側の１箇所に設ければ十分であり、そのため複数の通風口から大量の空気を送り込む必要がなく、送風のための運転コストも低く抑えることができる。なお、排水口２０に通じる複数の流水路を浴室床に形成して、それぞれの流水路に対応して通風口を設けてもよい。
【００２６】
ついで、流水路１１の路面に施した親水処理について説明する。なお親水処理は、流水路１１のみならず、傾斜床面１２を含め浴室床１０の全表面に施してもよい。親水処理の方法としては、流水路１１を親水性の素材で形成する方法をはじめ、表面に親水性膜を形成する方法、表面に微細な凹凸を設けて擬似的に親水化する方法、化学的に親水化する方法などがあるが、いずれによるものでもよい。
【００２７】
親水性膜を形成する方法としては、親水性塗料や親水性物質などの親水コーティング剤を表面に塗装する方法が一般的である。また、擬似的に親水化する方法としては、ホーニング、サンドブラスト、サンディング処理などの公知の手法により、表面に機械的な微細凹凸傷を施して、その凹凸によって水滴の表面張力を破壊できるように擬似的に親水化する方法が使用できる。化学的に親水化する方法としては、紫外線照射処理、紫外線レーザー処理、プラズマ処理、コロナ放電処理、火炎処理などを用いて、表面に化学的に親水性置換基を配置する方法が使用できる。
【００２８】
このように流水路１１の路面が親水性となっているため、傾斜床面１２から流水路１１に流れ落ちた水が水滴となることはなく、あるいはかりに水滴ができてもすぐに壊され、その結果、流水路１１の水勾配や送風によって、流水路１１に水を残留させないように好適に排水でき、たとえ残留しても、残水は親水処理された表面によって濡れ性を帯びて空気の接触面積が大きくなっているため、通風口３０からの送風、乾燥による水分除去を短時間で行うことができる。
【００２９】
次に、浴室換気乾燥機４０によって通風口３０から強制送風する場合の操作について、図１，２を参照しながら説明する。図２は、本浴室装置に接続された浴室換気乾燥機４０の操作リモコンの正面図である。
【００３０】
本実施形態で使用する浴室換気乾燥機４０は、室内乾燥、衣類乾燥、換気および暖房などを目的として、天井などに設けた空気噴出口（不図示）より温風や乾燥空気などを浴室内に送り込む構成となっており、室外などに設置した操作リモコン４２よりタイマーなどを設定して操作できるようになっている。
【００３１】
本実施形態では、操作リモコン４２は図２に示すように、予備暖房、暖房、換気、衣類乾燥、乾燥、送風、床送風の各モードの切り替えを可能とした各モード実行ボタン４２１と、各モードの運転中を示すＬＥＤランプ４２２と、各モードを強制停止する停止ボタン４２３と、タイマー設定ボタン４２４と、残時間を示す表示部４２５とを備えている。
【００３２】
上記各モードのうち床送風モードを除く各モードは、天井の噴出口より乾燥空気または温風などを送り込むものである一方、床送風モードは、通風口３０より乾燥空気または温風などを送り込むモードであり、この床送風モードを実行することで、傾斜流水路１１に残留した水分を排水口２０へと導くとともに、送風によって水分を蒸発させて除去するようにしている。
【００３３】
なお、床は天井や壁にくらべて水分が残りやすいので、床（流水路１１）のみを乾燥させる図２に示すような床送風モードを設けることが望ましいが、床送風モードを設けずに、その他のモードの実行の際に、通風管４１に温風や乾燥空気を分流させる構成としてもよい。また、床送風専用のモードを設ける場合でも、床が天井や壁よりも水分が残留しやすいことを考慮して、乾燥、送風モードを実行する場合にも、同時に通風口３０からの送風を行う構成としてもよい。
【００３４】
このように、浴室換気乾燥機４０を通風口３０に接続する構成であるため、既設の装置を利用して強制乾燥させることができる。また、本例のように流水路１１専用の送風モードを設けているため、天井や壁にくらべて残水付着の多い流水路１１のみに対する乾燥が行え、既設の浴室換気乾燥機４０を効率的に使用でき、低コストで床乾燥ユニットを実施できる。
【００３５】
最後に、本浴室装置の通風口３０の開閉蓋について、一例を示した図３を参照しながら説明する。図３（ａ）は通風口３０からの送風を行っていない場合の要部斜視図、（ｂ）は送風時の斜視図である。なお本例では、通風口３０にファン装置５０を設けた例を示している。
【００３６】
この通風口３０は、スライド式の開閉蓋３１を備えており、入浴中など水分が通風口３０に入り込む可能性のある使用状況のときには、図３（ａ）のように蓋３１を閉じて使用し、送風を必要とするときには、図３（ｂ）のように蓋３１を開いて使用する構造となっている。なお、蓋３１の開閉は手動で行うほか、浴室換気乾燥機４０の運転に連動させるようにしてもよい。
【００３７】
以上に示した実施形態では、排水口２０を浴室床１０の１辺縁の略中央に設けた左右対称の例を示したが、そのようなものには限られず、少なくとも、排水を傾斜床面１２から流水路１１に集めることのできる位置に排水口２０を設けたものであればよい。また、排水口２０を設ける辺縁は、浴槽２のエプロン側２ａには限定されず、排水口２０の流水路１１を通じた反対側に、通風口３０を開設できるような側壁が存在すれば、いずれの辺縁であってもよい。
【００３８】
また以上の実施形態では、排水領域３が排水口２０だけで構成されたものを示したが、図４の浴室内平面図に示すように、浴槽２のエプロン２ａ面に沿って排水溝２１を設けた構成であってもよい。つまり、その排水溝２１は、その中央などに設けた排水口２０と、その排水口２０に向かって下り傾斜させた排水路２２とを有した構造をなしている。なお、排水溝２１の開口部に装着する排水目皿は図示を省略している。また、本図例の他の構成は図１と同様であり、同一の符号を付してその説明は割愛する。
【００３９】
すなわち、このような排水領域４を有した浴室床１０によれば、洗い場領域１に設ける流水路１１は、排水口２０に直接通じるように配置しなくてもよく、排水路２２など排水溝２１の長手方向のいずれかの位置に通じるように配設されればよい。
【図面の簡単な説明】
【００４０】
【図１】本発明の一実施形態である浴室装置の説明図であり、（ａ）は浴室内概略平面図、（ｂ）は（ａ）のＡ−Ａ線の概略縦断面図である。
【図２】同浴室装置に接続された浴室換気乾燥機の操作パネルの正面図である。
【図３】（ａ）は同浴室装置の通風口から送風していない場合の斜視図、（ｂ）は送風時の斜視図である。
【図４】本発明の他の実施形態である浴室装置の説明図であり、浴室内概略平面図である。
【符号の説明】
【００４１】
１      洗い場領域
２      浴槽
４      排水領域
３      側壁
１０      浴室床
１１      流水路
１２      傾斜床面
２０      排水口
３０      通風口
３１      開閉蓋
４０      浴室換気乾燥機
４１      通風管
４２      操作リモコン
５０      ファン装置
【図１】
2009228390.tif 000003
【図２】
2009228390.tif 000004
【図３】
2009228390.tif 000005
【図４】
2009228390.tif 000006